(57)【要約】【課題】ディジタルコンテンツを記録し再生することが可能な記録再生装置およびそのコンテンツのコピー方法において、装置間でのコピーを手軽に操作性よく実行すること。【解決手段】ネットワークを介して接続する記録再生装置に対して、保持している記録メディアの陣容に関する情報の送信を前記ネットワークを介して要求し、要求に応じて送信されてきた情報を報知することにより任意の記録メディアの選択をユーザに促し、記録再生装置のうち選択された記録メディアを有する装置に対して、そのステータスに関する情報の送信をネットワークを介して要求し、要求に応じて送信されてきたステータスに関する情報に基づいて、選択された記録メディアがディジタルコンテンツのダビング先として成立するか否かを判断し、判断がダビング先として成立の場合にディジタルコンテンツをネットワークを介して選択された記録メディアを有する記録再生装置に送信する。【選択図】図２
2006018871.tif 000002
【特許請求の範囲】
【請求項１】
ネットワークを介して接続する他の記録再生装置に対して、保持している記録メディアの陣容に関する情報の送信を前記ネットワークを介して要求する第１の要求部と、
前記要求に応じて送信されてきた情報を報知することにより任意の記録メディアの選択をユーザに促す表示部／操作入力部と、
前記他の記録再生装置のうち前記選択された記録メディアを有する前記装置に対して、そのステータスに関する情報の送信を前記ネットワークを介して要求する第２の要求部と、
前記要求に応じて送信されてきたステータスに関する情報に基づいて、前記選択された記録メディアがディジタルコンテンツのダビング先として成立するか否かを判断する判断部と、
前記判断がダビング先として成立の場合に前記ディジタルコンテンツを前記ネットワークを介して前記選択された記録メディアを有する前記他の記録再生装置に送信する通信出力部と
を具備することを特徴とする記録再生装置。
【請求項２】
前記第２の要求部が要求するステータスに関する前記情報が、記録禁止の設定がされているか、記録可能な領域残量が所定量以上あるか、現在記録／再生中であるか、記録予約時間まで所定以上の時間があるか、ＧＵＩ画面の表示中であるか、操作ロックの設定がされているか、の各情報の少なくともひとつを含むことを特徴とする請求項１記載の記録再生装置。
【請求項３】
前記判断がダビング先として成立の場合に、自己が保持するディジタルコンテンツの一覧を表示することによりダビングすべきディジタルコンテンツの選択をユーザに促す第２の表示部／操作入力部をさらに具備し、
前記通信出力部が、前記判断がダビング先として成立の場合に前記選択されたディジタルコンテンツを前記ネットワークを介して前記選択された記録メディアを有する前記他の記録再生装置に送信すること
を特徴とする請求項１記載の記録再生装置。
【請求項４】
前記通信出力部が送信する前記ディジタルコンテンツが、情報圧縮された形式のデータであることを特徴とする請求項１記載の記録再生装置。
【請求項５】
ネットワークを介して接続する他の記録再生装置から、保持している記録メディアの陣容に関する情報を送信するように前記ネットワークを介して要求されたとき、保持している記録メディアの陣容に関する前記情報を前記ネットワークに出力する第１の情報発信部と、
前記ネットワークを介して接続する前記他の記録再生装置から、ステータスに関する情報を送信するように前記ネットワークを介して要求されたとき、ステータスに関する前記情報を前記ネットワークに出力する第２の情報発信部と
を具備することを特徴とする記録再生装置。
【請求項６】
ネットワークを介して接続する記録再生装置に対して、保持している記録メディアの陣容に関する情報の送信を前記ネットワークを介して要求するステップと、
前記要求に応じて送信されてきた情報を報知することにより任意の記録メディアの選択をユーザに促すステップと、
前記記録再生装置のうち前記選択された記録メディアを有する前記装置に対して、そのステータスに関する情報の送信を前記ネットワークを介して要求するステップと、
前記要求に応じて送信されてきたステータスに関する情報に基づいて、前記選択された記録メディアがディジタルコンテンツのダビング先として成立するか否かを判断するステップと、
前記判断がダビング先として成立の場合に前記ディジタルコンテンツを前記ネットワークを介して前記選択された記録メディアを有する前記記録再生装置に送信するステップと
を具備することを特徴とするディジタルコンテンツコピー方法。
【発明の詳細な説明】
【技術分野】
【０００１】
本発明は、記録メディアにディジタルデータでコンテンツを記録し再生することが可能な記録再生装置、およびディジタル形式でのコンテンツのコピー方法に係り、特に、装置間でのコピーが適用され得る記録再生装置およびディジタルコンテンツコピー方法に関する。
【背景技術】
【０００２】
映像ソフトなどのコンテンツをディジタルデータ形式で記録再生することが可能な装置が隆盛になってきている。その中でも複数の記録メディアを保持または搭載することでそれら間でのダビング（コピー）機能を有するものが市場ではより受け入れられている。このような装置で用いられる記録メディアの代表的なひとつはハードディスク、もうひとつはＤＶＤである。ハードディスクとＤＶＤとに記録可能な装置の公知例として下記特許文献１に記載のものがある。同文献では、これらの記録メディアの記録容量が一般的に相当に異なっておりこれによる使い勝手の悪さを改善することに言及がある。
【特許文献１】特開２００４−５５０１０号公報
【発明の開示】
【発明が解決しようとする課題】
【０００３】
上記の公知例では、ダビング先は同じ装置内に設けられたかまたは装着された記録メディアである。しかし、ダビング先は、一般的には、同じ装置内の記録メディアに限られるわけではない。そのような場合については上記文献では言及されていない。
【０００４】
本発明は、上記の事情を考慮してなされたもので、記録メディアにディジタルデータでコンテンツを記録し再生することが可能な記録再生装置、およびディジタル形式でのコンテンツのコピー方法において、装置間でのコピーを手軽に操作性よく実行することが可能な記録再生装置およびディジタルコンテンツコピー方法を提供することを目的とする。
【課題を解決するための手段】
【０００５】
上記の課題を解決するため、本発明に係る記録再生装置は、ネットワークを介して接続する他の記録再生装置に対して、保持している記録メディアの陣容に関する情報の送信を前記ネットワークを介して要求する第１の要求部と、前記要求に応じて送信されてきた情報を報知することにより任意の記録メディアの選択をユーザに促す表示部／操作入力部と、前記他の記録再生装置のうち前記選択された記録メディアを有する前記装置に対して、そのステータスに関する情報の送信を前記ネットワークを介して要求する第２の要求部と、前記要求に応じて送信されてきたステータスに関する情報に基づいて、前記選択された記録メディアがディジタルコンテンツのダビング先として成立するか否かを判断する判断部と、前記判断がダビング先として成立の場合に前記ディジタルコンテンツを前記ネットワークを介して前記選択された記録メディアを有する前記他の記録再生装置に送信する通信出力部とを具備することを特徴とする。
【０００６】
すなわち、複数の記録再生装置をネットワークで接続した構成により装置間のダビングを行う。その際に、ダビング元となる記録再生装置から他の記録再生装置に対して２段階で、所定の情報をよこすようあらかじめ要求する。第１段階では他の複数の記録再生装置を特定せずに保持している記録メディアの陣容に関する情報を要求する。第２段階では、他の記録再生装置およびその記録メディアを特定した上で、そのステータスに関する情報を要求する。そしてこのステータスに基づきダビング先として成立するか否かを判断し、成立する場合はダビング動作に移行する。このようなネットワークの利用および２段階の情報収集の適用を行うことで、効率的なダビング先の選択およびダビングへの移行が可能であり、装置間でのコピーを手軽に操作性よく実行することが可能になる。
【０００７】
また、本発明に係る別の記録再生装置は、ネットワークを介して接続する他の記録再生装置から、保持している記録メディアの陣容に関する情報を送信するように前記ネットワークを介して要求されたとき、保持している記録メディアの陣容に関する前記情報を前記ネットワークに出力する第１の情報発信部と、前記ネットワークを介して接続する前記他の記録再生装置から、ステータスに関する情報を送信するように前記ネットワークを介して要求されたとき、ステータスに関する前記情報を前記ネットワークに出力する第２の情報発信部とを具備することを特徴とする。
【０００８】
この記録再生装置は、上記の「本発明に係る記録再生装置」において言及される「他の記録再生装置」としての記録再生装置である。所定の情報の送信要求を受けると、対応する情報の出力をネットワークに行う。
【０００９】
また、本発明に係るディジタルコンテンツコピー方法は、ネットワークを介して接続する記録再生装置に対して、保持している記録メディアの陣容に関する情報の送信を前記ネットワークを介して要求するステップと、前記要求に応じて送信されてきた情報を報知することにより任意の記録メディアの選択をユーザに促すステップと、前記記録再生装置のうち前記選択された記録メディアを有する前記装置に対して、そのステータスに関する情報の送信を前記ネットワークを介して要求するステップと、前記要求に応じて送信されてきたステータスに関する情報に基づいて、前記選択された記録メディアがディジタルコンテンツのダビング先として成立するか否かを判断するステップと、前記判断がダビング先として成立の場合に前記ディジタルコンテンツを前記ネットワークを介して前記選択された記録メディアを有する前記記録再生装置に送信するステップとを具備することを特徴とする。
【００１０】
このディジタルコンテンツコピー方法は、上記の「本発明に係る記録再生装置」に相当する方法である。
【発明の効果】
【００１１】
本発明によれば、記録メディアにディジタルデータでコンテンツを記録し再生することが可能な記録再生装置、およびディジタル形式でのコンテンツのコピー方法において、装置間でのコピーを手軽に操作性よく実行することが可能になる。
【発明を実施するための最良の形態】
【００１２】
本発明の実施態様として、前記第２の要求部が要求するステータスに関する前記情報は、記録禁止の設定がされているか、記録可能な領域残量が所定量以上あるか、現在記録／再生中であるか、記録予約時間まで所定以上の時間があるか、ＧＵＩ画面の表示中であるか、操作ロックの設定がされているか、の各情報の少なくともひとつを含む、とすることができる。ダビング先として成立する条件を考慮して、ステータスに関する情報を例示したものである。ＧＵＩ（graphical user interface）画面の表示中を挙げているのは、その装置に現在ユーザが操作を行っている（つまり独自に録画を開始するかもしれない）と推定できるからである。操作ロックの設定を挙げているのは、どのような操作も受付けないとユーザが設定していることを優先するためである。
【００１３】
また、実施態様として、前記判断がダビング先として成立の場合に、自己が保持するディジタルコンテンツの一覧を表示することによりダビングすべきディジタルコンテンツの選択をユーザに促す第２の表示部／操作入力部をさらに具備し、前記通信出力部が、前記判断がダビング先として成立の場合に前記選択されたディジタルコンテンツを前記ネットワークを介して前記選択された記録メディアを有する前記他の記録再生装置に送信する、としてもよい。これによれば、一括して複数のコンテンツのダビングを行うことができ、さらに操作性が向上する。
【００１４】
また、実施態様として、前記通信出力部が送信する前記ディジタルコンテンツは情報圧縮された形式のデータである、とすることができる。情報圧縮された形式によれば送信量の削減になりダビングの効率化になる。
【００１５】
以上を踏まえ、以下では本発明の実施形態を図面を参照しながら説明する。図１は、本発明の一実施形態に係る記録再生装置の構成を示すブロック図である。図１に示すように、この記録再生装置１０は、ＡＶ（audio visual）入力インターフェース１１、ＴＶチューナ１２、エンコーダ１３、記憶装置１４、デコーダ１５、ＡＶ出力インターフェース１６、制御部１７、操作入力部１８、表示部１９、通信制御部２０を有する。記憶装置１４は、ディスク駆動部１４ａ、一時記憶部１４ｂを有する。
【００１６】
ＡＶ入力インターフェース１１は、映像情報信号および音声情報信号を外部から入力するインターフェースである。入力された各信号はエンコーダ１３に送られる。ＡＶ入力インターフェース１１に入力される各信号は、アナログ形式、ディジタル形式どちらも考えられる。アナログ形式の場合にはこのＡＶ入力インターフェース１１、または次段のエンコーダ１３の初段階でディジタル形式に変換する。ＴＶチューナ１２は、放射され送られた放送波に同調をとって映像情報信号および音声情報信号を取り出すものである。取り出された映像情報信号および音声情報信号はエンコーダ１３に送られる。ＴＶチューナ１２の出力はアナログ形式、ディジタル形式どちらも考えられる。アナログ形式の場合は次段のエンコーダ１３の初段階でディジタル形式に変換する。
【００１７】
エンコーダ１３は、送られてきた映像情報信号および音声情報信号を次段の記録メディアに記録するためのディジタル形式の信号にエンコード（符号化；情報圧縮を含む）するものである。エンコードされた信号は記憶装置１４に送られる。記憶装置１４は、各種の記録メディアを保持または搭載することが可能であり、それらの記録メディアに、送られてきた信号を記録し、またそれらの記録メディアに記録された信号を読み取り出力するものである。ディスク駆動部１４ａとしてハードディスク駆動部（ＨＤＤ）および／またはＤＶＤ駆動部を保持し得る。ハードディスク駆動部では記録メディアは磁気ディスクであり、ＤＶＤ駆動部では記録メディアはリムーバブルなメディアであるＤＶＤである。一時記憶部１４ｂは、これらのメディアへの記録時、読み取り時に信号のバッファリングを行うものであり、例えば半導体メモリからなる。
【００１８】
デコーダ１５は、記憶装置１４により読み出された信号をデコード（復号；情報の伸張を含む）を行うものである。デコードされた信号はＡＶ出力インターフェース１６に送られる。ＡＶ出力インターフェース１６は、デコーダ１５から送られた信号を再生映像信号および再生音声信号として外部に出力するものである。この出力信号はアナログ形式、ディジタル形式いずれも考えられる。アナログ形式で出力する場合は、デコーダ１５の最終段またはこのＡＶ出力インターフェース１６でアナログ形式に変換する。
【００１９】
以上は、ほぼ通常の記録再生装置としての構成の説明である。以下では、本発明の実施形態としての特徴を有する構成についての説明が含まれる。制御部１７は、この記録再生装置１０の動作を統括的に制御するものであり、ＭＰＵ（microprocessing unit）、メモリなどのハードウエアと、これらのハードウエア上で動作するソフトウエアとを含む。エンコーダ１３、記憶装置１４、デコーダ１５などの動作を制御するほか、操作入力部１８からの信号に基づき、ネットワークを介して接続する他の記録再生装置に対して、保持している記録メディアの陣容に関する情報の送信を、通信制御部２０およびネットワークを介して要求する（第１の要求部として）。
【００２０】
また、制御部１７は、操作入力部１８からの信号に基づき、ネットワークに接続された他の記録再生装置に対してそのステータスに関する情報の送信を、通信制御部２０およびネットワークを介して要求する（第２の要求部として）。さらに、制御部１７は、ネットワークおよび通信制御部２０を介して送られてきたステータスに関する情報に基づいてその記録メディアがディジタルコンテンツのダビング先（コピー先）して成立するか否かを判断する（判断部として）。
【００２１】
操作入力部１８は、ユーザがこの記録再生装置１０を操作するための一般的な入力部であるが、特にダビング先の記録メディアの選択を受け付けのため用いられる。受け付けられた選択は信号として制御部１７にもたらされる。表示部１９は、ユーザに対してこの記録再生装置１０に関する情報を表示する一般的な報知部であるが、特に上記の第１の要求部による要求で、通信制御部２０、制御部１７を介して送られてきた他の記録再生装置が保持している記録メディアの陣容に関する情報を表示する。
【００２２】
通信制御部２０は、制御部１７からの要求信号をネットワークに出力する通信出力部、および、他の記録再生装置からネットワークに出力されている返信信号およびディジタルコンテンツ信号を取り込む入力部として機能する。要求信号および返信信号は制御部１７との間でやり取りされ、ディジタルコンテンツ信号は記録装置１４との間でやり取りされる。なお、この記録再生装置１０が「他の記録再生装置」となる場合には、通信制御部２０はディジタルコンテンツ信号の通信出力部になる。
【００２３】
また、通信制御部２０は、保持する記録メディアの陣容に関する情報の送信要求がネットワークに出力されている場合にはこれを受信し、この記録再生装置１０のその情報をネットワークに出力する（第１の情報発信部として）。また、ステータスに関する情報の送信要求がネットワークに出力されている場合にはこれを受信し、この記録再生装置１０のその情報をネットワークに出力する（第２の情報発信部として）。これらの情報発信に必要な情報は、必要に応じて、統括的な制御を行なっている制御部１７から取得する。
【００２４】
なお、通信制御部２０に接続可能なネットワークとしては、例えば専用のＬＡＮ（local area network）、またはインターネット（例えばＩＰアドレスが上位からある程度の桁まで一致するもののみを対象とする）などを例示することができる。このネットワークに１つ以上の他の記録再生装置が接続されているものとして以下説明を続ける。
【００２５】
図２は、図１に示した記録再生装置１０におけるネットワークダビングの動作フローを示す流れ図である。図２をも参照してネットワークを用いてダビングをする場合の動作を説明する。
【００２６】
まず、操作入力部１８へのユーザの操作によってネットワークダビングの旨を受け付ける（ステップ２１）。これにより、制御部１７が動作し、ネットワークに接続された他の記録再生装置が保持している記録メディアの陣容に関する情報の収集を行う（ステップ２２）。このステップ２２については詳細を後述するが（図５）、ネットワーク上での態様は図３に示すようになる。図３は、図１に示した記録再生装置１０における、記録メディアの陣容情報のネットワークを介する収集態様を示す説明図である。図３では、記録再生装置１０のほかに、図示するような各記録メディアを保持する記録再生装置４０、５０、６０、…、７０がネットワーク３１に接続されている。そのそれぞれと通信がなされる。
【００２７】
記録再生装置１０による情報収集の結果として対象となる記録メディアがない場合には（ステップ２３のＹ）、警告表示を表示部１９に行い（ステップ３０）、この処理を終了する。情報収集の結果として、対象とする記録メディアがひとつでもある場合には（ステップ２３のＮ）、その陣容を表示部１９に表示し、かつ操作入力部１８へのユーザの操作によってダビング先となる記録メディアの選択・指定を受け付ける（ステップ２４）。ここでの表示部１９の表示例としては図４（コピー先機器選択画面４１）に示すようになる。図４は、図１に示した記録再生装置１０が収集し表示する、記録メディアの陣容情報の表示画面（＝ダビング先となる記録メディアの選択・指定画面）の例を示す図である。
【００２８】
図４に示すような画面４１に見てユーザがダビング先としたい記録メディアの選択・指定を操作入力部１８に行うと、この記録再生装置１０はその記録メディアの記録再生装置にダビング予約を入れる（ステップ２５）。そしてその記録再生装置のステータスに関する情報の収集を行う（同ステップ）。この情報収集は、ネットワーク上での態様として図６に示すようになる。図６は、図１に示した記録再生装置１０における、ステータス情報のネットワークを介する収集態様の例を示す説明図である。ステータスとは文字通り状態のことでありダビング先として成立するか否かを判断するための情報である。ステータスに関する情報が送られると制御部１７はダビング可能かどうかを判断する（同ステップ）。このステップ２５については再度述べる（図７）。
【００２９】
ステップ２５は、ステップ２２とは異なり図６に示すように特定の例えば記録再生装置４０とのみ情報のやり取りを行うものであり、この時点を含めて以降は他の例えば記録再生装置５０、…がネットワーク３１による通信に関わることがない。この点、効率的な処理が実現される意味で好ましい。また、他の例えば記録再生装置５０、…はそれら同士の通信を自由に行うことができ記録再生装置１０と同４０との間の通信から解放されている。
【００３０】
制御部１７による判断がダビング可能である場合には（ステップ２６のＹ）、記憶装置１４から通信制御部２０を介し、さらにネットワーク３１を用いて、選択・指定された記録メディアにダビングを行う（ステップ２７）。このダビングはデコードする前の情報圧縮されたディジタル形式のものとして行うが、デコーダ１５を経た信号のダビングとすることも原理的には可能である。
【００３１】
ダビングが終了したら、選択された記録メディアの記録再生装置（例えば記録再生装置４０）のダビング予約を解除する（ステップ２８）。ダビング予約解除により、この記録再生装置（例えば記録再生装置４０）はダビングのための占有状態から解放される。制御部１７による判断がダビング可能ではない場合には（ステップ２６のＮ）、ダビング予約を解除し（ステップ２９）、表示部１９に警告表示を行う（ステップ３０）。
【００３２】
以上説明のように図１に示した記録再生装置１０におけるネットワークダビングの動作が行われる。このようなネットワークダビングによれば、装置間でのダビング（コピー）を手軽に操作性よく実行することができる。特に、装置間のＨＤＤからＨＤＤへのダビングにも一々リムーバブルなメディアであるＤＶＤへのダビングを介する必要がなくなりダビングの効率化を図ることができる。
【００３３】
図５は、図２に示した流れ図中のステップ２２をやや詳細に示す流れ図である。図５に示すように、ステップ２２においてはまず、記録再生装置１０がネットワーク３１に送信要求信号を出力する（ステップ２２ａ）。ここで要求する内容は、他の記録再生装置４０、…が保持している記録メディアの陣容に関する情報の送信である。出力された送信要求信号は、各記録再生装置４０、…に到達する。各記録再生装置４０、…は、これに応じて自身の機器名とともにその保持する記録メディアに関する情報をネットワーク３１に出力する。
【００３４】
そこで、次に記録再生装置１０は、ネットワーク３１に出力された情報をすべて受け取る（ステップ２２ｂ）。ここでその情報は、機器名およびその保持している記録メディアの陣容に関する情報である。情報を受け取ったら機器名およびその保持している記録メディア名を表示部１９に表示する（ステップ２２ｃ）。この表示はすでに述べたように例えば図４に示したコピー先機器選択画面４１のようになる。すなわち、「コピー先機器名」として記録再生装置Ａから同Ｎ（それぞれ記録再生装置４０から７０に相当）、「コピー先」として各ＨＤＤやＤＶＤなどである。
【００３５】
図７は、図２に示した流れ図中のステップ２５をやや詳細に示す流れ図である。図７に示すように、ステップ２５においてはまず、選択された記録メディアの記録再生装置（例えば記録再生装置４０）にネットワーク３１を介してダビング予約を入れる（ステップ２５ａ）。次に、選択された記録メディアの記録再生装置（例えば記録再生装置４０）に送信要求信号をネットワーク３１を介して送る（ステップ２５ｂ）。ここで要求する内容は、ステータス情報の送信である。送信要求信号が送られた記録再生装置（例えば記録再生装置４０）はこれに応じて自身のステータス情報をネットワーク３１を介して記録再生装置１０に送信する。
【００３６】
そこで、次に記録再生装置１０は、送られたステータス情報を受け取り（ステップ２５ｃ）、これに基づきダビング可能か否かの判断に移行する。ダビング可能か否かの判断のため、この例ではステータス情報として以下の情報を受け取る。まず、「選択された記録メディアは記録禁止の設定がされているか」の情報である（ステップ２５ｄ）。一般に記録メディアは記録禁止の設定ができるようになっているのでこれを吟味するものである。また、「選択された記録メディアは領域残量が所定量以上あるか」の情報である（ステップ２５ｅ）。所定量に満たない場合はダビングが未完になるからである。また、「選択された記録メディアは記録または再生中であるか」の情報である（ステップ２５ｆ）。このような使用中の場合はその使用状態を優先する。
【００３７】
さらに、「選択された記録メディアは記録予約時間まで所定以上の時間があるか」の情報である（ステップ２５ｇ）。ダビング中に予約による記録モードになるのを避けて、予約による記録を優先するためである。また、「選択の記録メディアの記録再生装置はＧＵＩ画面表示中か」の情報である（ステップ２５ｈ）。ＧＵＩ画面表示中の場合現在ユーザが操作を行っており独自に録画などを開始する可能性があるからである。また、「選択の記録メディアの記録再生装置は操作ロックが設定されているか」の情報である（ステップ２５ｉ）。これはどのような操作も受け付けないとするユーザの意志による設定を優先するためである。
【００３８】
以上のような情報の判定によりステップ２５ｉをＮ側に抜けた場合のみ制御部１７はダビング可能と判断する（ステップ２５ｊ）。それ以外の場合にはダビングは不可能と判断する（ステップ２５ｋ）。なお、ここに挙げたステータス情報は例示であり適宜その一部のみを採用することも、または別の情報をステータス情報として収集し判断材料に加えることも可能である。
【００３９】
次に、図２に示したネットワークダビングの動作フローとは異なる動作フローについて図８を参照して説明する。図８は、図１に示した記録再生装置におけるネットワークダビングの図２に示した動作フローとは別の動作フローを示す流れ図である。図８において、図２に示した処理ブロックと同一相当の処理ブロックには同一符号を付しその説明を省略する。
【００４０】
このネットワークダビングでは、ダビング元に存在するディジタルコンテンツをユーザが単数または複数選択し、選択のコンテンツを一括して特定の記録再生装置の記録メディアにダビングすることを可能としたものである。そこで、図８に示すように、最初に一括ネットワークダビングをする旨を操作入力部１８へのユーザの操作で受け付ける（ステップ８１）。以下、ステップ２２からステップ２６まで図２の場合と同じ処理を行い、ステップ８２では次の処理を行う。
【００４１】
まず、制御部１７が、自身の記録再生装置が有する、ダビングの候補となるコンテンツを表示部１９（第２の表示部）に画面表示する（＝ダビング部分を選択する画面を表示）。この画面表示の例が、図９に示すような一括コピー部分選択画面９１におけるコピー候補表示領域９１ａである。図９は、図１に示した記録再生装置において、図８に示した流れ図中のステップ８２で表示される画面例を示す図である。図９におけるコピー候補表示領域９１ａには例として１０個の候補が表示されている。
【００４２】
また、一括コピー部分選択画面９１では、すでに選択されている記録メディアが「コピー先容量」として下側に示されており、そのすでに記録されている部分には使用済部分インジケート９１ｃが示される（＝ダビング先の残量の表示）。そして、コピー候補表示領域９１ａからユーザがダビングするコンテンツを操作入力部１８（第２の操作入力部）からの入力により選択・指定すると、そのコンテンツの表示はコピー選択済表示領域９１ｂになされる（＝ダビング部分の選択・指定の受け付け）。図９におけるコピー選択済表示領域９１ｂには例として３つのコンテンツが表示されている。このとき、その選択によりダビング先で予想される占有容量が「コピー先容量」のコピー選択済容量分インジケート９１ｄとして示される（＝ダビング先の残量表示の更新）。
【００４３】
以上の処理後、コピー開始ボタン９１ｅがユーザにより押されると（ステップ８３のＹに相当）、コピー選択済表示領域９１ｂに表示されたコンテンツが一括連続して選択された記録メディアに記録される（ステップ２７）。コピー開始ボタン９１ｅがユーザにより押される前の段階では（ステップ８３のＮに相当）、ダビングするコンテンツの選択・指定をやり直せる。ステップ２７より以下は図２での説明と同様である。
【００４４】
このネットワークダビングの動作フローによれば、一括して複数のコンテンツのダビングを行うことができ、さらに操作性が向上する。
【図面の簡単な説明】
【００４５】
【図１】本発明の一実施形態に係る記録再生装置の構成を示すブロック図。
【図２】図１に示した記録再生装置におけるネットワークダビングの動作フローを示す流れ図。
【図３】図１に示した記録再生装置における、記録メディアの陣容情報のネットワークを介する収集態様を示す説明図。
【図４】図１に示した記録再生装置が収集し表示する、記録メディアの陣容情報の表示画面（＝ダビング先となる記録メディアの選択・指定画面）の例を示す図。
【図５】図２に示した流れ図中のステップ２２をやや詳細に示す流れ図。
【図６】図１に示した記録再生装置における、ステータス情報のネットワークを介する収集態様の例を示す説明図。
【図７】図２に示した流れ図中のステップ２５をやや詳細に示す流れ図。
【図８】図１に示した記録再生装置におけるネットワークダビングの別の動作フローを示す流れ図。
【図９】図１に示した記録再生装置において、図８に示した流れ図中のステップ８２で表示される画面例を示す図。
【符号の説明】
【００４６】
１０，４０，５０，６０，７０…記録再生装置、１１…ＡＶ入力インターフェース、１２…ＴＶチューナ、１３…エンコーダ、１４…記憶装置、１４ａ…ディスク駆動部、１４ｂ…一時記憶部、１５…デコーダ、１６…ＡＶ出力インターフェース、１７…制御部、１８…操作入力部、１９…表示部、２０…通信制御部、３１…ネットワーク、４１…コピー先機器選択画面、９１…一括コピー部分選択画面、９１ａ…コピー候補表示領域、９１ｂ…コピー選択済表示領域、９１ｃ…使用済部分インジケート、９１ｄ…コピー選択済容量分インジケート、９１ｅ…コピー開始指示ボタン。
【図１】
2006018871.tif 000003
【図２】
2006018871.tif 000004
【図３】
2006018871.tif 000005
【図４】
2006018871.tif 000006
【図５】
2006018871.tif 000007
【図６】
2006018871.tif 000008
【図７】
2006018871.tif 000009
【図８】
2006018871.tif 000010
【図９】
2006018871.tif 000011